(57)【要約】【課題】外反拇指の予防および矯正を効果的に行える草履を提供する。【解決手段】草履台に取り付けられた緒に足の甲部を引っ掛け、緒の鼻緒部に足の第１指と第２指の股部を引っ掛けて歩行する草履であって、鼻緒部を、第１指と第２指との股部からつま先に向かって所定長さの寸法を有するように延長して形成する一方、鼻緒部の第１指に接する第１指側面を、つま先に向かうに応じて内方に傾斜するように形成し、草履を履いたときに、第１指が、第１指側面を介して内方に広げられる矯正力を受けるようにした。【選択図】      図２
2004201933.tif 000002
【特許請求の範囲】
【請求項１】
草履台に取り付けられた緒に足の甲部を引っ掛け、上記緒の鼻緒部に足の第１指と第２指の股部を引っ掛けて歩行する草履であって、上記鼻緒部を、第１指と第２指との股部からつま先に向かって所定長さの寸法を有するように延長して形成する一方、上記鼻緒部の第１指に接する第１指側面を、つま先に向かうに応じて内方に傾斜するように形成し、上記草履を履いたときに、第１指が、上記第１指側面を介して上記内方に広げられるようにしたことを特徴とする外反拇指予防及び矯正用草履。
【請求項２】
上記鼻緒部の第１指側面に、面ファスナー手段を介して矯正具を着脱自在に取り付け、この矯正具を介して第１指が内方に広げられるようにしたことを特徴とする請求項１記載の外反拇指予防及び矯正用草履。
【請求項３】
上記矯正具を、弾性変形が可能なクッション材で形成されていることを特徴とする請求項１または２記載の外反拇指予防及び矯正用草履。
【請求項４】
上記草履台に、中足骨を、上記緒と共に外側から取り回して締め付けられる中足骨矯正用ベルトが設けられていることを特徴とする請求項１乃至３のいずれか一項に記載の外反拇指予防及び矯正用草履。
【発明の詳細な説明】
【０００１】
【発明の属する技術分野】
本発明は、屋内、屋外において、日常生活の中で外反拇指の予防を行えるだけでなく、その矯正をも効果的に施すことができる外反拇指予防及び矯正用草履に関するものである。
【０００２】
【従来の技術】
従来、つま先が先細形状をなした靴を履く頻度が高い人には、図８に示されるように外反拇指を生じることが多い。この外反拇指は、先細形状で、踵の高いハイヒールＳを履いた場合に、足Ｆの第１指０１（以下「親指」、「拇指」ともいう）は、先細形状の靴内壁に沿って指先が外方に強制的に曲げられる。このため、第１指０１に対して、くの字状に屈曲した状態となった第１中足骨０２が靴Ｓ内壁に突き当たりながら体重の一部を支え、この状態で歩行をするようになる。このような先細形状の靴を履いての歩行が繰り返されて日常的になると、横中足靱帯０３がゆるみだして、各中足関節の間隔が開きだし、親指０１と中足骨０２との関節０４は、内側に張り出すようになる。これによって、親指０１が指の付け根から先っぽにいくに応じて外側に反っていき、症状がひどい場合には、第２指０５の上に乗るか、又は下に入り込むように変形してしまう。こうして、外反拇指になると、歩行や、立ち居振る舞いに支障が出るだけでなく、外反拇指から派生して膝や腰などに、種々健康上好ましくない悪影響を及ぼすこととなる。
【０００３】
このような外反拇指を矯正したり、予防する靴や履き物としては、親指０１（第１指）と、第２指０５との間を仕切る仕切壁を履き物台に設け、親指０１が第２指０５側に寄らないようにすることで、親指の外反を阻止ないしは予防する方策のものが種々考えられている。例えば、靴の内部にこのような仕切壁を設けた技術を示すものとして、実開平５−３９３０３号（以下「Ａ」という）、実開平６−７７１６号（以下「Ｂ」という）の公報があり、サンダルに設けたものとして、特開平６−６２９０６号（以下「Ｃ」という）、特開平１１−２７６２０３号（以下「Ｄ」という）の公報が公知である。上記Ａ、Ｂのものは、内部に仕切壁を設けて親指と第２指との間隔を広げるようにしている靴であり、また、上記Ｃ，Ｄのものは、仕切壁を設けることにより、親指と第２指との間隔を広げるようにしたサンダルであり、いずれも、外反拇指を矯正しようとするものである。
【０００４】
【発明が解決しようとする課題】
しかしながら、上記Ａ、Ｂのものにあっては、一時的に親指と第２指との間隔を広げることはできても、足全体としては靴の中で拘束されることなく自由に踊ることができるため、足のつま先（足指の先端）が、靴のつま先内壁に突き当たるので痛く、ひどい場合には指先が丸まった状態にして歩行することとなり、快適に歩行しながら矯正を行える靴ではなくなり、むしろ苦痛さえ伴う問題がある。また、仕切壁が、親指と第２指との付け根にある股部に当たり、圧迫を受けるので長時間の使用には限界があるという問題もある。さらに、上記Ｃ、Ｄのものでは、サンダルに仕切壁を設けたものであるため、指先に痛みを与えるようなことはないものの、足をいくらベルトで締め付けたとしても、足と仕切壁とは、互いに相対移動が可能な構造であるため、つまり、サンダルを履いた足を前方に振り出すとき、踵がサンダルの履き物台から離れて立ち上がるため、時間の経過と共に、ベルトがゆるんだ場合には、足がつま先の方に移動してしまい、指の股部が仕切壁に食い込んだ状態で歩行することとなり、このため、股部が圧迫を受けて痛みを感じるようになり、長時間の歩行が困難となる問題がある。
【０００５】
さらに、靴内部に仕切壁を設けたものとして、特開２００１−１２８７０５号公報所載技術があるが、これは、その仕切壁を積極的に親指側に傾けるようにして設け、これにより外反拇指を矯正しようとするものである。しかし、このものも、上記したＡ，Ｂと同じように、足指先端が靴内壁に突き当たったり、仕切壁に親指の股部が食い込んだりする点においては同じであり、このため、靴を長時間履いて快適に歩行するのが難しいだけでなく、足が靴内で自由に踊るために、第２指０５から第５指０６（小指）までが、親指側に寄ってしまうという問題がある。このような問題を解消するために、草履型または下駄型の履き物台に設けられた緒の鼻緒部の、第１指（親指）に接する第１指側面を、つま先に向かって所定長さの寸法を有するように形成し、且つ、第１指側面を、つま先に向かうに伴って内方（第１指側）に傾斜するように形成することにより、第１指が、第１指側面に当たることにより、内方に広げられるようにして、第１指と第２指の先端同士が必ず離れた状態を保持し、外反拇指を予防ないしは矯正しうる外反拇指予防及び矯正用草履を提供しようとするのが、本発明の課題
（目的）である。
【０００６】
【課題を解決するための手段】
上記課題を解決するために、本発明においては次のような手段を講じることとした。すなわち、請求項１記載の発明においては、外反母趾予防及び矯正用草履に関し、草履台に取り付けられた緒に足の甲部を引っ掛け、上記緒の鼻緒部に足の第１指と第２指の股部を引っ掛けて歩行する草履であって、上記鼻緒部を、第１指と第２指との股部からつま先に向かって所定長さの寸法を有するように延長して形成する一方、上記鼻緒部の第１指に接する第１指側面を、つま先に向かうに応じて内方に傾斜するように形成し、上記草履を履いたときに、第１指が、上記第１指側面を介して上記内方に広げられるようにした構成を採ることとした。
【０００７】
このような構成を採ることにより、本発明においては、草履を履いた場合に、第１指（親指）は、つま先に向かって所定長さの寸法に形成された鼻緒部の第１指側面に接するため、第１指だけが、つま先に向かうに応じて内方に傾斜する。他方、第２指〜第５指（小指）の各指は、鼻緒部により親指側への移動が拘束される。そして、足の甲部は踵近傍まで伸びている緒により、草履は足と終始一体の関係となり、足が草履に対して相対移動することを抑制する。従って、第１指と、第２指との間の股部が、鼻緒部に食い込むようなことを大幅に低減できるので快適な歩行が可能となり、ひいては長時間の歩行使用が可能となり、このため、第１指の先端を、第２指の先端から終始離間した状態を保持したままで、歩行することにより、外反拇指の予防や矯正を快適に、かつ、効果的に行えるようになる。
【０００８】
請求項２記載の発明は、請求項１記載の外反母趾予防及び矯正用草履に係り、上記鼻緒部の第１指側面に、面ファスナー手段を介して矯正具を着脱自在に取り付け、この矯正具を介して第１指が内方に広げられるようにした構成を採ることとした。このような構成を採ることにより、本発明のものにおいては、第１指側面に、矯正具を面ファスナー手段を介して着脱自在に取り付けることが可能となるので、外反拇指の進行具合や症状に応じた矯正具を使用することにより、第１指の内方への拡がり角度を調整でき、それだけ効果的な外反拇指の予防、矯正効果を得ることができるようになる。
【０００９】
請求項３記載の発明は、請求項１または２記載の外反母趾予防及び矯正用草履に係り、上記矯正具を、弾性変形が可能なクッション材で形成されている構成を採ることとしているので、履き物を履いた状態においては、クッション材が第１指と、鼻緒部の第１指側面との間に挟まれて弾性変形するため、第１指を痛めることがなく、長時間の歩行使用ができるようになる。
【００１０】
請求項４記載の発明は、請求項１乃至３のいずれか一項に記載の外反母趾予防及び矯正用草履に係り、上記草履台に、第１指の第１中足骨から第５指の第５中足骨を含む中足骨を、上記緒と共に外側から取り回して締め付けられるように形成された中足骨矯正用ベルトが設けられている構成を採ることとした。かかる構成を採ることとしているので、本発明のものにおいては、草履を履いたときに、中足骨矯正用ベルトにより、緒の上から中足骨が履き物台に締め付けられる。このため、締め付け量を加減しながら締め付けたりすることで、中足骨の張り出しの予防と矯正を、容易かつ痛みを最小限に抑えながら行えるようになる。
【００１１】
【発明の実施の形態】
本発明に係る実施の形態を、図１乃至図６に基づいて詳述する。各図には、左足用の草履を示した。本実施の形態に係る外反母趾予防及び矯正用草履は、草履台１と、緒２とを備えている。草履台１は、草履台本体１ａと、その表面に、例えば、い草で形成された畳表材などが縫い付けられた草履台表１ｂとからなり、側面から視て草履台１全体が、草履を履いた足の歩行に追随して撓むことができるように形成されている。この草履台１に取り付けれる緒２は、親指Ａと第２指Ｂ（図６参照）との間の股部に挟まれて引っ掛けられる鼻緒部２ａと、この鼻緒部２ａから二手に分かれて後方に伸び、足の甲部を両側から押さえつけるように引っ掛ける緒主体部２ｂとを有する。鼻緒部２ａは、親指と第２指との間を仕切る仕切壁となるように、草履のつま先１ｃ近くまで伸びた所定長さの寸法Ｈを有し、草履台１に埋め込まれるようにして位置決め固定される。鼻緒部２ａの前端表面は、側面から視てなだらかな凸面を画くような形状に形成されて緒主体部２ｂに適宜縫製などにより連続するように接続されている（図３参照）。緒主体部２ｂの後方は、踵付近において草履台１に埋め込まれて位置決め固定される。従って、草履台１の３カ所で取り付けられた緒２を足に引っ掛けて草履を履いた場合に、親指（第１指）Ａと第２指Ｂとの間に鼻緒部２ａを挟むようにして引っ掛けられ、そのとき、緒主体部２ｂは足の甲部から踵にかけて密着することとなる。
【００１２】
また、鼻緒部２ａの、親指に接する側の側面２ｃ（以下「第１指側面」という）は、草履の前後方向長手中心線Ｌに対して草履のつま先１ｃに向かうにつれて内方（親指のある方向）に所定角度θをなして傾くように形成されていて（図２参照）、草履を履いたときに、親指（第１指）だけが第１指側面２ｃから矯正力を受けて内方へ広げられるようになっている。
【００１３】
そして、その第１指側面２ｃには、第１面ファスナー２ｄが設けられており（図４参照）、この第１面ファスナー２ｄに、着脱自在が可能となる矯正具３が、図２または図４に示す矢印のように取り付けられる。すなわち、矯正具３側にも第１指側面２ｃに係脱可能な第２面ファスナー３ａが設けられ、第１、第２両面ファスナー２ｃ、３ａにより面ファスナー手段が形成される。従って、矯正具３の第２面ファスナー３ａを、上記第１面ファスナー２ｄに押し付けたり、引き離したりすることで、第１指側面２ｃに着脱される。この矯正具３は、弾性変形が可能な、ラバークッション、スポンジ、綿、人造繊維などの適宜の素材で形成されたクッション材で形成されている。また、この矯正具３は、平面視において、つま先に向かうにつれて末広がり形状をなしているのが好ましいが（図２参照）、末広がり形状を有していなくてもよい。外反拇指の症状の程度に合わせて、親指の内方への拡がり角度を調整可能となるように、種々の末広がり角度や、厚みや大きさなどを有するものを用意して着脱自在に装着することができるものである。
【００１４】
また、草履台１には、中足骨を矯正するためのベルト４が取り付けられている。このベルト４は、各基部を草履台本体１ａと草履台表１ｂとの間に挟むようにして固定された第１ベルト部４ａと第２ベルト部４ｂとからなる。第１ベルト部４ａの上から第２ベルト部４ｂを折り重ねるようにして中足骨を締められるように、各ベルト部４ａ，４ｂの所要箇所に面ファスナー４ａ１，４ｂ１が設けられている。従って、ベルト４により、第１指の第１中足骨から第５指の第５中足骨までを含む中足骨全体を、図５に示すように緒２と共に外側から取り回して締め付けられるようになる。
【００１５】
次に、このような構成からなる本実施の形態のものについての、その使用態様について説明する。まず、図２のように、ベルト４を解いた状態にある草履を履く場合に、図６に示すように自己の症状に見合った矯正具３を鼻緒部２ａの第１指側面２ｃに面ファスナー手段（２ｃ，３ａ）で装着する。次いで、足を緒２に通し、第１指Ａと第２指Ｂの間に、鼻緒部２ａが当たる位置になるように履き、ベルト４で緒２の上から足の甲部の中足骨を締め付けるようにして足を固定する。なお、このとき、矯正度合いに見合うように、ベルト４締め付け力を調整しながら固定する。
【００１６】
こうして、草履を履いて歩行する場合において、足の甲部は踵近くまで伸びている緒２により押さえるられるようにしてくっつくこととなる。また、草履の柔軟性（しなり）と、その軽さとにより、足を前方に振って歩行するとき、草履台表１ｂは踵に適度に密着した状態を保持する一方で、第１指Ａと第２指Ｂとの先端（指先）が、鼻緒部２ａと、そこにアタッチメントされた矯正具３とにより、必ず離れた状態を保ちながら、歩行することができる。
【００１７】
従って、本実施の形態によれば、第１指Ａだけが内方（図６のＸ方向）に広げられた状態で歩行できるため、外反拇指の矯正を良好に行うことができる。また、草履は足に終始一体となって離れず、フィットした状態にあるため、足が草履に対して踊るようなことがなく、このため第１指Ａと第２指Ｂとの股部が、鼻緒部２ａに食い込まないので、股部に及ぼす負担が軽くなり、苦痛を伴うことがなく、長時間の歩行も可能となる。また、ベルト４により中足骨を締めているため、横方向にゆるんだ横中足靱帯を締め付けることができる。とりわけ、親指につながる第１中足骨の内方への張り出しを、ベルト４による締め付け力Ｐ（図６参照）が作用させることにより矯正することができる。この場合、親指Ａだけが矯正具３を装着された鼻緒部２ａにより内方へ反るように拘束されているため、ベルト４により中足骨が張り出さないようにする矯正を、容易に、かつ、痛みを伴うことなく行えるため、外反拇指の予防および矯正にきわめて有効となる効果がある。また、外反拇指の症状に見合った矯正具３を選んで装着することで、効果的な外反拇指の矯正を行える。このように、日常生活の中で、歩くという体重が掛かった状態の中で、個々人の症状による調整を可能としながら、外反拇指の予防及び矯正を行うことができる。また、鼻緒部２ａから緒主体部２ｂへの連続箇所（結び目）が、なめらかな円弧形状で連続するため、側面から視た外観体裁も向上できる。
【００１８】
上記実施の形態では、矯正具３を装着する草履について説明したが、図７に示すように、矯正具を装着しない形状を有する鼻緒部２ｅ、すなわち、鼻緒部２ｅ自体が親指を内方へ矯正力を作用させることができる第１指側面２ｆを有するような態様であってもよい。
また、上記実施の形態では、草履台１と緒２とを別々の素材で形成した場合について説明したが、これらを合成樹脂により一体成形して形成するようにしてもよい。
また、ベルト４及びファスナー２ｄを草履に取り付けたが、外反拇指の予防及び初期症状にある場合には、ベルト及びファスナーを設けていない草履だけの態様にすることも可能である。
【００１９】
【発明の効果】
本発明によれば、草履を履いた場合に、第１指（親指）は、つま先に向かって所定長さの寸法に形成された鼻緒部の第１指側面に接するため、第１指だけが、つま先に向かうに応じて内方に傾斜する。他方、第２指〜第５指（小指）の各指は、鼻緒部により親指側への移動が拘束される。そして、足の甲部は踵近傍まで伸びている緒により、草履は足と終始一体の関係となり、足が草履に対して相対移動することを抑制する。従って、第１指と、第２指との間の股部が受ける負担を大幅に低減できるので快適な歩行が可能となり、ひいては長時間の歩行使用が可能となり、このため、第１指の先端を、第２指の先端から終始離間した状態を保持したままで、歩行することにより、外反拇指の予防や矯正を快適に、かつ、効果的に行える効果を奏する。
【００２０】
また、第１指側面に、矯正具を面ファスナー手段を介して着脱自在に取り付けることが可能となるため、外反拇指の進行具合や症状に応じた矯正具を使用することにより、第１指の内方への拡がり角度を調整でき、症状に見合った外反拇指の予防、矯正効果を行える効果がある。
【００２１】
また、履き物を履いた状態においては、クッション材が第１指と、鼻緒部の第１指側面との間に挟まれて弾性変形するため、第１指を痛めることがなく、長時間の歩行使用ができるようになる。
【００２２】
また、草履を履いたときに、中足骨矯正用ベルトにより、緒の上から中足骨が履き物台に締め付けられる。このため、締め付け量を加減しながら締め付けたりすることで、中足骨の張り出しの予防と矯正を、容易かつ痛みを最小限に抑えながら行えるようになる効果を奏する。
【図面の簡単な説明】
【図１】本発明に係る草履の全体構成を示す外観斜視図である。
【図２】本発明に係る草履の平面図である。
【図３】本発明に係る草履の、ベルトの図示を省略した外観側面図である。
【図４】鼻緒部の腰部拡大外観斜視図である。
【図５】ベルトを締めた状態を示す部分平面図である。
【図６】本発明に係る草履を履いた状態を示した外観斜視図である。
【図７】変形例における部分平面図である。
【図８】従来のものにおける靴と、外反拇指との関係を説明する平面図である。
【符号の説明】
１…草履台
１ａ…草履台本体
１ｂ…草履台表
１ｃ…つま先
２…緒
２ａ…緒主体部
２ｂ…前脚ヒンジブラケット
２ｃ…第１指側面
２ｄ…第１面ファスナー
２ｅ…鼻緒部
２ｆ…第１指側面
３…矯正具
３ａ…第２面ファスナー
４…ベルト（中足骨矯正用ベルト）
【図１】
2004201933.tif 000003
【図２】
2004201933.tif 000004
【図３】
2004201933.tif 000005
【図４】
2004201933.tif 000006
【図５】
2004201933.tif 000007
【図６】
2004201933.tif 000008
【図７】
2004201933.tif 000009
【図８】
2004201933.tif 000010